(57)【特許請求の範囲】
【請求項１】
作業機と、
前記作業機が取り付けられ、かつ運転室を有する本体部と、
前記運転室に設けられ、作業現場の実景と重ね合わせて作業支援情報を表示する表示装置と、
前記表示装置に、前記作業支援情報として目標設計地形を表示する表示制御部とを備え、
前記表示制御部は、前記作業現場の実景と重ね合わせて前記作業支援情報を表示する前記表示装置に作業開始時に作業完了後の最終目標設計地形を表示させた後、実行される作業工程に応じて達成されるべき目標設計地形の表示に切り替える、作業車両。
【請求項２】
前記最終目標設計地形を複数のセグメントに分けて記憶する記憶部をさらに備え、
前記表示制御部は、前記表示装置に表示した第１セグメントに対応する目標設計地形を第２セグメントに対応する目標設計地形の表示に切り替える、請求項１記載の作業車両。
【請求項３】
前記表示制御部は、前記運転室内のオペレータの操作指示に従って、前記表示装置に表示した第１セグメントに対応する目標設計地形を第２セグメントに対応する目標設計地形の表示に切り替える、請求項２に記載の作業車両。
【請求項４】
現況地形の情報を取得する情報取得部をさらに備え、
前記表示制御部は、前記情報取得部で取得した前記現況地形の情報と前記目標設計地形との比較に基づいて前記表示装置に表示した第１セグメントに対応する目標設計地形を第２セグメントに対応する目標設計地形の表示に切り替える、請求項２に記載の作業車両。
【請求項５】
作業機と、前記作業機が取り付けられ、かつ運転室を有する本体部と、前記運転室に設けられ、作業現場の実景と重ね合わせて作業支援情報を表示する表示装置とが設けられた作業車両の制御方法であって、
前記作業支援情報として作業開始時に作業完了後の最終目標設計地形を前記作業現場の実景と重ね合わせて前記表示装置に表示するステップと、
前記最終目標設計地形を表示した後、実行される作業工程に応じて達成されるべき目標設計地形の表示に切り替えるステップとを備える、作業車両の制御方法。
【発明の詳細な説明】
【技術分野】
【０００１】
本発明は、作業車両および作業車両の制御方法に関し、特に、当該作業車両における画像の表示に関する。
【背景技術】
【０００２】
従来、油圧ショベル等の作業車両が知られている。このような作業車両は、本体部と、当該本体部に接続された作業機とを有している。たとえば、油圧ショベルの作業機は、本体部側から順に、ブームと、アームと、バケットとを有する。
【０００３】
特開２００９−２４３０７３号公報（特許文献１）には、作業車両の一例として油圧ショベルが開示されている。当該油圧ショベルは、運転室と、作業機と、表示装置と、表示位置制御部とを備えている。作業機は、運転室内のオペレータの操作により動作する。表示装置は、運転室に設けられ、所定の画像を表示する。
【先行技術文献】
【特許文献】
【０００４】
【特許文献１】特開２００９−２４３０７３号公報
【発明の概要】
【発明が解決しようとする課題】
【０００５】
ところで、運転室の前面に設けられる表示装置は、透過型の表示装置であって、運転室内のオペレータが作業機を目視することが可能に設けられている。
【０００６】
したがって、目視される作業機を効率的に操作しつつ、表示装置に表示される所定の画像から必要な情報を適切に取得するためには、作業工程に応じて適切な情報を提示する必要がある。
【０００７】
本発明の目的は、上記の点を鑑みてなされたものであって、作業効率のさらなる向上を図ることが可能な作業車両および作業車両の制御方法を提供することにある。
【課題を解決するための手段】
【０００８】
ある局面に従う作業車両は、作業機と、本体部と、表示装置と、表示制御部とを備える。本体部は、作業機が取り付けられ、かつ運転室を有する。表示装置は、運転室に設けられ、作業現場の実景と重ね合わせて作業支援情報を表示する。表示制御部は、表示装置に、作業支援情報として目標設計地形を表示する。表示制御部は、表示装置に作業開始時に作業完了後の最終目標設計地形を表示させた後、実行される作業工程に応じて達成されるべき目標設計地形の表示に切り替える。
【０００９】
したがって、作業しているオペレータは、作業開始時に作業完了後の最終目標設計地形を確認し、その後、作業工程に応じて達成されるべき目標設計地形を確認することが可能であるため、作業内容を正確に把握して作業効率のさらなる向上を図ることが可能である。
【００１０】
好ましくは、最終目標設計地形を複数のセグメントに分けて記憶する記憶部をさらに備える。表示制御部は、表示装置に表示した第１セグメントに対応する目標設計地形を第２セグメントに対応する目標設計地形の表示に切り替える。
【００１１】
したがって、作業しているオペレータは、セグメント毎に分けられた目標設計地形を確認することが可能であり、作業視界を広く確保することが可能となり、作業内容を正確に把握して作業効率のさらなる向上を図ることが可能である。
【００１２】
好ましくは、表示制御部は、運転室内のオペレータの操作指示に従って、表示装置に表示した第１セグメントに対応する目標設計地形を第２セグメントに対応する目標設計地形の表示に切り替える。
【００１３】
したがって、操作指示に従って、セグメント毎に分けられた目標設計地形を確認することが可能であるため作業工程に応じて目標設計地形を簡易に切り替えることが可能であり作業効率のさらなる向上を図ることが可能である。
【００１４】
好ましくは、現況地形の情報を取得する情報取得部をさらに備える。表示制御部は、情報取得部で取得した現況地形の情報と目標設計地形との比較に基づいて表示装置に表示した第１セグメントに対応する目標設計地形を第２セグメントに対応する目標設計地形の表示に切り替える。
【００１５】
したがって、情報取得部で取得した現況地形の情報と目標設計地形との比較に基づいて第１セグメントに対応する目標設計地形を第２セグメントに対応する目標設計地形の表示に切り替えることが可能であるためユーザの操作が必要ではなく、作業効率のさらなる向上を図ることが可能である。
【００１６】
ある局面に従う作業車両の制御方法は、作業機と、作業機が取り付けられ、かつ運転室を有する本体部と、運転室に設けられ、作業現場の実景と重ね合わせて作業支援情報を表示する表示装置とが設けられた作業車両の制御方法であって、作業支援情報として作業開始時に作業完了後の最終目標設計地形を表示装置に表示するステップと、最終目標設計地形を表示した後、実行される作業工程に応じて達成されるべき目標設計地形の表示に切り替えるステップとを備える。
【００１７】
したがって、作業しているオペレータは、作業開始時に作業完了後の最終目標設計地形を確認し、その後、作業工程に応じて達成されるべき目標設計地形を確認することが可能であるため、作業内容を正確に把握して作業効率のさらなる向上を図ることが可能である。
【発明の効果】
【００１８】
本発明の作業車両および作業車両の制御方法によれば、作業効率のさらなる向上を図ることが可能である。
【図面の簡単な説明】
【００１９】
【図１】実施形態に基づく作業車両１０１の外観を説明する図である。
【図２】実施形態に基づく作業車両１０１が備える制御系の構成を表したブロック図である。
【図３】実施形態に基づく表示装置４４の作業支援情報の表示内容を説明する図である。
【図４】実施形態に基づく表示装置４４の作業支援情報の別の表示内容を説明する図である。
【図５】実施形態に基づく目標設計地形を説明する図である。
【図６】実施形態に基づく作業支援情報の表示処理を説明するフロー図である。
【図７】実施形態の第１の変形例に基づく作業車両１０１が備える制御系の構成を表したブロック図である。
【図８】実施形態の第１の変形例に基づく作業支援情報の表示処理を説明するフロー図である。
【図９】実施形態の表示装置４４とは異なる構成を有する他の表示装置を表した図である。
【発明を実施するための形態】
【００２０】
以下、本発明の実施形態について図に基づいて説明する。なお、以下の説明では、同一部品には、同一の符号を付している。それらの名称および機能も同じである。したがって、それらについての詳細な説明は繰り返さない。なお、以下の説明において、「上」「下」「前」「後」「左」「右」とは、運転席に着座したオペレータを基準とする用語である。
【００２１】
＜Ａ．全体構成＞
図１は、実施形態に基づく作業車両１０１の外観を説明する図である。
【００２２】
図１に示されるように、実施形態に基づく作業車両１０１として、油圧ショベルを例に挙げて説明する。
【００２３】
作業車両１０１は、走行体１と、旋回体３と、作業機４とを主に有している。
作業車両１０１の本体部は、走行体１と旋回体３とにより構成される。本体部には、作業機４が取り付けられている。走行体１は、左右１対の履帯を有している。旋回体３は、走行体１の旋回機構を介して旋回可能に装着される。旋回体３は、運転室８等を有する。
【００２４】
作業機４は、旋回体３において、上下方向に作動可能に軸支されており、土砂の掘削などの作業を行う。作業機４は、ブーム５と、アーム６と、バケット７とを含む。作業機４は、運転室８から右前方に視認される位置に設けられている。
【００２５】
ブーム５は、基部が旋回体３に可動可能に連結されている。アーム６は、ブーム５の先端に可動可能に連結されている。バケット７は、アーム６の先端に可動可能に連結されている。バケット７は、運転室８に対して上下方向に移動可能である。また、バケット７は、運転室８に対して前後方向にも移動可能である。バケット７は、刃先７Ａを有する。
【００２６】
運転室８は、フロントガラス２を有する。フロントガラス２は、フレーム９によって固定されている。フロントガラス２は、フロントガラス２Ａと、フロントガラス２Ａより下側のフロントガラス２Ｂとによって構成される。フロントガラス２Ａは、開口枠９Ａの内側（開口枠内）に設けられ、フロントガラス２Ｂは、下部の開口枠９Ｂの内側に設けられている。運転室８の前方のフレーム９の屈曲形状に合わせてフロントガラス２Ａと、２Ｂとを分離して設ける。フロントガラス２Ａと２Ｂとを分離した構成とすることによりオペレータからの広い視界を確保しつつフレーム等の強度を確保することが可能である。
【００２７】
表示装置４４は、作業車両１０１の運転室８の運転席の前方に取り付けられている。本例においては、表示装置４４は、運転室８に入射する外光を透過する部材（フィルム等）と、投影機（プロジェクタ）とによって構成される。投影機によって投影された映像は、実像として外光を透過する部材（フィルム等）に表示される。表示装置４４の表示領域は、作業車両１０１の運転室８の前面の開口枠９Ａ内に設けられる。運転室８のオペレータは、表示装置４４の表示領域を透して、作業機４を含む作業現場の実景を目視することができる。表示装置４４は、作業現場の実景と重ね合わせて、オペレータによる作業機４の操作（作業）を支援するための情報（作業支援情報）を表示する。表示装置４４は、オペレータの視野に直接映像を映し出すヘッドアップディスプレイとして機能する。
【００２８】
表示装置４４のフィルム等の外光を透過する部材は、フロントガラス２Ａに重畳されて設置されている。表示装置４４は、フロントガラス２Ａの縁部まで表示領域を有する。なお、フロントガラス２Ａの大きさは、表示装置４４の表示領域と同じであっても良いし、異なる場合であっても良い。
【００２９】
本例においては、表示装置４４として、運転室８に入射する外光を透過する部材（フィルム等）に対して投影機（プロジェクタ）によって投影された映像を表示する構成について説明するが、これに限られず透明のディスプレイ（たとえば、透過型の液晶ディスプレイ）である表示装置４４を備えた構成とすることも可能である。
【００３０】
＜Ｂ．制御系の構成＞
図２は、実施形態に基づく作業車両１０１が備える制御系の構成を表したブロック図である。
【００３１】
図２に示されるように、作業車両１０１は、操作装置１０と、作業機コントローラ２０と、作業機駆動装置３０と、表示システム４０とを有する。
【００３２】
（ｂ１．操作装置１０）
操作装置１０は、操作部材１１Ｌ、１１Ｒと、操作検出部１２と、走行操作部材１３と、走行操作検出部１４とを有する。なお、操作装置１０は、図示しないがこれら以外にも、各種の操作受付が可能な操作ボタンを有する。たとえば、エンジンを動作させる操作ボタンや、表示システム４０に対して所定の指令を入力するための操作ボタン等も含む。本例においては、所定の指令として、表示装置４４に表示されている目標設計地形の内容の変更を指示する指令とする。
【００３３】
操作部材１１Ｌ、１１Ｒは、オペレータが作業機４および旋回体３を操作するために用いられる。操作部材１１Ｒは、オペレータがブーム５とバケット７とを操作するために用いられる。操作部材１１Ｌは、オペレータが旋回体３とアーム６とを操作するために用いられる。
【００３４】
操作検出部１２は、操作部材１１Ｌに対するオペレータの操作を検出する。操作検出部１２Ｒは、操作部材１１Ｒに対するオペレータの操作を検出する。
【００３５】
走行操作部材１３は、オペレータが作業車両１０１の走行を操作するために用いられる。走行操作検出部１４は、走行操作部材１３の操作内容に応じパイロット流量を発生する。作業車両１０１は、パイロット流量に応じた速度で移動する。
【００３６】
（ｂ２．作業機コントローラ２０）
作業機コントローラ２０は、記憶部２１と、演算部２２とを有している。記憶部２１は、ＲＡＭ（Random Access Memory）およびＲＯＭ（Read Only Memory）等のメモリで構成される。演算部２２は、ＣＰＵ（Central Processing Unit）等の演算処理装置で構成される。
【００３７】
作業機コントローラ２０は、主として、作業機４の動作と旋回体３の旋回とを制御する。作業機コントローラ２０は、操作部材１１Ｌ、１１Ｒの操作に応じて、作業機４および旋回体３を動作させるための制御信号を生成する。作業機コントローラ２０は、生成した制御信号を作業機駆動装置３０に出力する。
【００３８】
（ｂ３．作業機駆動装置３０）
作業機駆動装置３０は、比例制御弁３１を有している。比例制御弁３１は、作業機コントローラ２０からの制御信号に基づいて動作する。比例制御弁３１は、制御信号に応じた流量の作動油を、油圧シリンダおよび旋回モータに供給する。これにより、作業機４が動作し、旋回体３が旋回する。
【００３９】
（ｂ４．表示システム４０）
表示システム４０の表示装置４４は、作業支援情報等の各種の画像を表示する。
【００４０】
表示システム４０は、位置情報取得部４１と、表示制御部４３と、表示装置４４と、メモリ４５と、操作入力受付部４６とを有する。
【００４１】
位置情報取得部４１は、作業車両１０１の作業機４により作業するための位置情報を取得する。たとえば、ＧＰＳ（Global Positioning System）等を利用して位置情報を取得することが可能である。
【００４２】
メモリ４５は、位置情報と対応付けられた目標設計地形を表示するためのデータを格納している。
【００４３】
表示制御部４３は、表示内容制御部４３０と、画像生成部４３３とを有する。
表示制御部４３は、作業支援情報を表示装置４４に表示させる。
【００４４】
画像生成部４３３は、メモリ４５に格納されているデータに基づいて作業支援情報として現況地形に対する目標設計地形の画像を生成する。画像生成部４３３は、目標設計地形以外の作業支援情報を表した画像を生成するようにしても良い。
【００４５】
表示内容制御部４３０は、画像生成部４３３で生成された現況地形に対する目標設計地形の画像を表示装置４４に表示させる。また、表示内容制御部４３０は、作業工程に応じて作業支援情報の内容を変更して、当該変更した内容を表示装置４４に表示させる。
【００４６】
操作入力受付部４６は、操作装置１０からの操作の入力を受け付ける。たとえば、操作入力受付部４６は、操作装置１０に設けられた表示システム４０に対して所定の指令を入力するための操作ボタンの入力を受け付ける。操作入力受付部４６は、一例として操作ボタンの入力に従って表示装置４４に表示されている目標設計地形の内容の変更を指示する指令の入力を受け付ける。
【００４７】
なお、表示システム４０の各機能ブロックは、ＣＰＵなどの演算処理装置やＲＡＭおよびＲＯＭなどの記憶装置（メモリ）に格納されているプログラムを用いることにより実現される。
【００４８】
＜Ｃ．作業支援情報の表示方法＞
図３は、実施形態に基づく表示装置４４の作業支援情報の表示内容を説明する図である。
【００４９】
図３に示されるように、ここでは、作業を開始する際に表示される作業支援情報の一例が示されている。具体的には、現況地形に対する作業完了後の最終目標設計地形の全体画像ＩＡが表示されている。
【００５０】
当該作業完了後の最終目標設計地形の全体画像ＩＡを表示することにより、オペレータは、現況地形に対して最終的な目標設計地形を把握することが可能となり、作業内容を把握して作業効率のさらなる向上を図ることが可能である。
【００５１】
図４は、実施形態に基づく表示装置４４の作業支援情報の別の表示内容を説明する図である。
【００５２】
図４に示されるように、ここでは、実行される作業工程に応じて達成されるべき作業支援情報の一例が示されている。
【００５３】
最終目標設計地形への施工は、複数の作業工程を経て行われることがある。この場合、作業工程ごとに達成されるべき目標設計地形が異なる。したがって、表示制御部４３は、図４に示されるように、現在の作業工程に応じた、達成されるべき目標設計地形を表示する。なお、現在の作業工程は、現況地形から把握されるようにしてもよく（詳細は後述）、オペレータの切り替え指示によって把握されるようにしてもよい。
【００５４】
また、作業工程ごとに達成されるべき目標設計地形（作業工程ごとの目標設計地形）は、最終目標設計地形の一部の目標設計地形である場合と、最終目標設計地形からみて途中の設計地形である場合とがある。図４では、最終目標設計地形の一部の目標設計地形を示す画像ＩＢ４が表示されている。
【００５５】
このように、作業工程ごとの目標設計地形を示す画像ＩＢ４を表示することによれば、オペレータは、現在の作業工程において達成されるべき目標設計地形を把握することが可能となる。当該表示により、最終的な目標設計地形（最終目標設計地形）を表示した状態を維持する場合と比較して、作業工程ごとに目標設計地形を示す画像を表示することは、作業視界を広く確保することが可能となるとともに、作業工程ごとに目標設計地形がオペレータに明確に把握可能となるので、作業効率のさらなる向上を図ることが可能である。
【００５６】
なお、オペレータによるボタン操作によって、作業工程を進めたり、戻したりするようにして、作業工程ごとの目標設計地形を自由に切り替え可能としても良い。また、ボタン操作によって、最終的な目標設計地形（最終目標設計地形）のうちの一部の目標設計地形を選択して表示するようにしても良い。
【００５７】
図５は、実施形態に基づく目標設計地形を説明する図である。
図５（Ａ）に示されるように、最終目標設計地形の全体画像ＩＡは、作業工程毎に複数の領域画像に分割される。
【００５８】
具体的には、４つの領域に分割されている場合が示されている。最終目標設計地形の一部の目標設計地形に対応する画像ＩＢ１〜ＩＢ４に分割されている。
【００５９】
図５（Ｂ）は、メモリ４５に格納されている目標設計地形データを説明する図である。
図５（Ｂ）に示されるように、目標設計地形データは、位置情報に関連付けられて格納されている。
【００６０】
位置情報取得部４１で取得された位置情報に基づいて、当該位置情報と関連付けられた目標設計地形データがメモリ４５から読み出されて表示装置４４に表示される。
【００６１】
本例においては、施工工程毎に最終目標設計地形の全体画像ＩＡを４つのセグメントに分割した一部の目標設計地形に対応する画像ＩＢ１〜ＩＢ４にそれぞれ対応する目標設計地形データが示されている。操作ボタンによる操作指令の入力が有った場合には、一のセグメントに対応する目標設計地形データから、別のセグメントに対応する目標設計地形データが読み出されて、当該読み出された目標設計地形データに基づく画像が表示装置４４に表示される。
【００６２】
また、目標設計地形データを読み出す順番が予め決められているものとする。本例においては、画像ＩＢ１〜ＩＢ４の順番に目標設計地形が変更される。
【００６３】
＜Ｄ．制御フロー＞
図６は、実施形態に基づく作業支援情報の表示処理を説明するフロー図である。
【００６４】
図６に示すとおり、表示制御部４３は、作業が開始されたか否かを判断する（ステップＳ２）。具体的には、一例として表示内容制御部４３０は、エンジンの点火プラグが点火した場合に作業が開始されたと判断するようにしても良いし、操作装置１０からの操作の入力を受け付けた場合に作業が開始されたと判断しても良い。また、所定のボタン操作に従って作業が開始されたと判断するようにしても良い。
【００６５】
次に、表示制御部４３は、作業が開始されるまで待機（ステップＳ２においてＮＯ）し、作業が開始されたと判断した場合（ステップＳ２においてＹＥＳ）には、作業車両の位置データを取得する（ステップＳ４）。具体的には、位置情報取得部４１は、作業車両１０１の位置情報を取得する。
【００６６】
次に、表示制御部４３は、位置に対応する目標設計地形データを取得する（ステップＳ６）。具体的には、画像生成部４３３は、位置情報取得部４１で取得した作業車両１０１の位置情報に基づいてメモリ４５に格納されている目標設計地形データを取得する。
【００６７】
次に、表示制御部４３は、目標設計地形データに基づいて最終目標設計地形である全体の画像を表示する。具体的には、画像生成部４３３は、メモリ４５に格納されているデータに基づいて作業支援情報として現況地形に対する最終目標設計地形の画像を生成する。表示内容制御部４３０は、画像生成部４３３で生成した最終目標設計地形の画像を表示する。一例として、表示内容制御部４３０は、表示装置４４に図３で説明した最終目標設計地形の全体画像ＩＡを表示する。
【００６８】
次に、表示制御部４３は、作業完了後の最終目標設計地形を表示させた後、最初の作業工程に対応する目標設計地形の表示に切り替える（ステップＳ１０）。具体的には、画像生成部４３３は、メモリ４５に格納されているデータに基づいて作業支援情報として現況地形に対する最初の作業工程に対応する目標設計地形の画像を生成する。表示内容制御部４３０は、画像生成部４３３で生成した目標設計地形の画像を表示する。一例として、表示内容制御部４３０は、表示装置４４に図４で説明した目標設計地形の画像ＩＢを表示する。
【００６９】
次に、表示制御部４３は、選択指示があったかどうかを判断する（ステップＳ１４）。具体的には、操作入力受付部４６は、操作装置１０からの操作の入力（選択指示）を受け付けたかどうかを判断する。
【００７０】
ステップＳ１４において、表示制御部４３は、選択指示が有るまで待機（ステップＳ１４においてＮＯ）し、選択指示があったと判断した場合（ステップＳ１４においてＹＥＳ）には、次の目標設計地形データが有るかどうかを判断する（ステップＳ１６）。表示内容制御部４３０は、操作入力受付部４６において操作の入力を受け付けた場合には、メモリ４５に格納されている次の目標設計地形データが格納されているかどうかを判断する。
【００７１】
例えば、図５（Ｂ）で説明した場合を例に挙げると、目標設計地形データとして画像ＩＢ１〜ＩＢ３が表示されている場合には次の目標設計地形データが有ると判断される。一方、画像ＩＢ４が表示されている場合には次の目標設計地形データは無いと判断される。
【００７２】
ステップＳ１６において、表示制御部４３は、次の目標設計地形データが有ると判断した場合（ステップＳ１６においてＹＥＳ）には、次の作業工程に対応する目標設計地形を表示する（ステップＳ１８）。表示内容制御部４３０は、操作入力受付部４６において操作の入力を受け付けた場合には、メモリ４５に次の目標設計地形データが格納されていると判断する場合には、対応する次の目標設計地形データに基づく画像を表示する。
【００７３】
そして、再び、ステップＳ１４に戻る。以降の処理は同様であるのでその詳細な説明については繰り返さない。
【００７４】
ステップＳ１６において、表示制御部は、次の目標設計地形データがないと判断した場合（ステップＳ１６においてＮＯ）には、処理を終了する（エンド）。表示内容制御部４３０は、操作入力受付部４６において操作の入力を受け付けた場合には、メモリ４５に次の目標設計地形データが格納されていないと判断する場合には、処理を終了する。
【００７５】
＜Ｅ．変形例＞
（ｅ１．第１の変形例）
図７は、実施形態の第１の変形例に基づく作業車両１０１が備える制御系の構成を表したブロック図である。
【００７６】
図７に示されるように、図２の構成と比較して、表示システム４０を表示システム４０Ａに置換した点が異なる。
【００７７】
表示システム４０Ａは、表示システム４０と比較して、施工情報取得部４２をさらに追加した点が異なる。その他の構成については図２で説明したのと同様であるのでその詳細な説明については繰り返さない。
【００７８】
施工情報取得部４２は、現況地形の施工情報を取得する。具体的には、施工情報取得部４２は、施工情報としてカメラ等で撮像した現況地形の画像を取得する。
【００７９】
表示制御部４３は、施工情報取得部４２で取得した施工情報の入力を受けて施工状況を判断する。具体的には、表示内容制御部４３０は、施工情報と、目標設計地形データに基づいて施工状況を判断する。表示内容制御部４３０は、施工情報に基づいて目標設計地形データの地形と略同一であるか否かを判断する。
【００８０】
表示内容制御部４３０は、施工情報に基づいて目標設計地形データの地形と略同一であると判断した場合には、当該作業工程が完了したと判断して、次の作業工程に対応する目標設計地形データに基づく目標設計地形を表示装置４４に表示する。
【００８１】
図８は、実施形態の第１の変形例に基づく作業支援情報の表示処理を説明するフロー図である。
【００８２】
図８に示すとおり、図６で説明したフローと比較して、ステップＳ１４の代わりに、ステップＳ１１〜ステップＳ１３を設けた点が異なる。その他のフローについては同様であるのでその詳細な説明については繰り返さない。
【００８３】
ステップＳ１０において、表示制御部４３は、最初の作業工程に対応する目標設計地形の表示に切り替える。具体的には、画像生成部４３３は、メモリ４５に格納されているデータに基づいて作業支援情報として最初の作業工程に対応する現況地形に対する目標設計地形を生成する。表示内容制御部４３０は、画像生成部４３３で生成した目標設計地形を表示する。一例として、表示内容制御部４３０は、表示装置４４に図４で説明した目標設計地形の画像ＩＢを表示する。
【００８４】
次に、表示制御部４３は、施工情報を取得する（ステップＳ１１）。具体的には、表示内容制御部４３０は、施工情報取得部４２において施工情報としてカメラ等で撮像した現況地形の画像を取得する。
【００８５】
次に、表示制御部４３は、施工状況を確認する（ステップＳ１２）。次に、表示内容制御部４３０は、取得した施工情報に基づいて目標設計地形データの地形と比較し、施工状況を確認する。
【００８６】
次に、表示制御部４３は、目標設計地形に対する作業が完了したかどうかを判断する（ステップＳ１３）。具体的には、表示内容制御部４３０は、取得した施工情報に基づいて目標設計地形データの地形と略同一であるか否かを判断する。
【００８７】
ステップＳ１３において、表示制御部４３は、目標設計地形に対する作業が完了したと判断した場合（ステップＳ１３においてＹＥＳ）には、次のステップＳ１６に進む。具体的には、表示内容制御部４３０は、取得した施工情報に基づいて目標設計地形データの地形と略同一であると判断した場合には、作業が完了したと判断し、次の目標設計地形データが有るか否かを判断する。
【００８８】
一方、ステップＳ１３において、表示制御部４３は、目標設計地形に対する作業が完了していないと判断した場合（ステップＳ１３においてＮＯ）には、ステップＳ１１に戻り上記処理を繰り返す。具体的には、表示内容制御部４３０は、取得した施工情報に基づいて目標設計地形データの地形と略同一でないと判断した場合には、作業が完了していないと判断し、ステップＳ１１に戻り上記処理を繰り返す。
【００８９】
上記処理により、操作装置１０からの操作の入力（選択指示）が無い場合であっても、施工情報取得部４２で取得した施工情報に基づいて、作業が完了したと判断した場合には自動的に次の目標設計地形データに基づく目標設計地形が表示される。
【００９０】
したがって、表示を変更するためにユーザの操作が必要ではなく、作業効率のさらなる向上を図ることが可能である。また、施工情報に基づいて作業が完了したかどうかが判断されるためユーザの目視により作業が完了したことを判断する必要がなく作業効率のさらなる向上を図ることが可能である。
【００９１】
（ｅ２．第２の変形例）
作業車両１０１は、表示装置４４とは異なる構成の表示装置を備えていてもよい。具体的には、作業車両１０１は、表示装置としてコンバイナを備えていても良い。
【００９２】
図９は、実施形態の表示装置４４とは異なる構成を有する他の表示装置を表した図である。
【００９３】
図９に示すとおり、表示装置７０は、運転室８に設けられ、投影機７１と、レンズ工学系７２と、コンバイナ７３とを有する。
【００９４】
投影機７１は、プロジェクタである。レンズ工学系７２は、投影機７１とコンバイナ７３との間に設置されている。レンズ工学系７２は、複数のレンズを有する。レンズ工学系７２は、複数のレンズのうちの一部のレンズは、光軸方向に移動可能となっている。
【００９５】
コンバイナ７３は、フロントガラス２Ａに設置されている。なお、コンバイナ７３は、フロントガラス２Ａとフロントガラス２Ｂとに設置されていてもよい。コンバイナ７３は、一部の光を反射し、残りの光を透過するハーフミラーで構成されている。コンバイナ７３は、投影機７１によって投影された映像を運転室８内のオペレータ側に反射するとともに、運転室８の外部からの光を運転室８の内部に透過する。
【００９６】
このため、表示装置７０では、オペレータは、コンバイナ７３に投影された映像を、運転室８前方の実景に重ねて表示される虚像として捉えることができる。
【００９７】
このように、コンバイナ７３を利用した表示装置７０を備える作業車両であっても、実施形態の作業車両１０１と同様の効果を奏することができる。
【００９８】
（ｅ３．第３の変形例）
上記においては、表示装置４４が開口枠９Ａ内の表示領域に表示する構成を例に挙げて説明したが、これに限定されるものではない。表示装置４４が開口枠９Ｂ内も表示領域として表示する構成としても良い。すなわち、運転室８が透明のデュアルディスプレイを備える構成であってもよい。この場合、表示制御部４３は、２つの表示領域における表示を制御することになる。なお、開口枠９Ｂの表示領域について別の表示装置を設けた構成とすることも可能である。
【００９９】
このような構成の作業車両であっても、上述した作業車両１０１で得られる効果と同様の効果を得ることができる。なお、この場合、作業支援情報は下側の表示装置の表示領域にも表示できる。
【０１００】
なお、作業車両の一例として、油圧ショベルを例に挙げて説明したが、バックホーローダや他の作業車両にも適用可能である。
【０１０１】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１０２】
１  走行体、２  フロントガラス、２Ａ  フロントガラス、２Ｂ  フロントガラス、３  旋回体、４  作業機、５  ブーム、６  アーム、７  バケット、７Ａ  刃先、８  運転室、９  フレーム、９Ａ，９Ｂ  開口枠、１０  操作装置、１１Ｌ，１１Ｒ  操作部材、１２  操作検出部、１３  走行操作部材、１４  走行操作検出部、２０  作業機コントローラ、２１  記憶部、２２  演算部、３０  作業機駆動装置、３１  比例制御弁、４０  表示システム、４１  位置情報取得部、４２  施工情報取得部、４３  表示制御部、４４，７０  表示装置、４５  メモリ、４６  操作入力受付部、７１  投影機、７２  レンズ工学系、７３  コンバイナ、１０１  作業車両、４３０  表示内容制御部、４３３  画像生成部。
【図１】
0006707344.tif 000002
【図２】
0006707344.tif 000003
【図３】
0006707344.tif 000004
【図４】
0006707344.tif 000005
【図５】
0006707344.tif 000006
【図６】
0006707344.tif 000007
【図７】
0006707344.tif 000008
【図８】
0006707344.tif 000009
【図９】
0006707344.tif 000010